(57)【要約】【課題】端子付電線において、電線の端部に形成された防食剤が、防食剤に加わる応力に起因して電線及び圧着端子から剥がれることを防止すること。【解決手段】端子付電線１の端子付電線１０は、被覆圧着部２０と、芯線圧着部４０と、端子接続部６０と、第一連結部３０と、第二連結部５０とを有する。第一連結部３０は、被覆圧着部２０と芯線圧着部４０とを繋ぐ部分であり、第二連結部５０は、芯線圧着部４０と端子接続部６０とを繋ぐ部分である。防食剤８が、電線９における被覆圧着部２０が圧着された部分から芯線９１の先端までの保護領域、及び圧着端子１０における電線９の保護領域の周囲に位置する部分を覆う。圧着端子１０は、絶縁被覆９２の周囲に沿って形成された被覆圧着部２０の外周の面及び第二連結部５０の表面の各々に分布して形成された突起部７を有する。【選択図】図１
2012124100.tif 000002
【特許請求の範囲】
【請求項１】
電線と、
前記電線の端部に取り付けられた圧着端子と、を備え、
前記圧着端子が、
前記電線の端部における絶縁被覆に圧着された被覆圧着部と、
前記電線の端部における前記絶縁被覆から伸び出た芯線に圧着された芯線圧着部と、
相手側の端子に接続される端子接続部と、
前記被覆圧着部と前記芯線圧着部とを繋ぐ第一連結部と、
前記芯線圧着部と前記端子接続部とを繋ぐ第二連結部と、を有する端子付電線であって、
前記圧着端子における、前記電線の前記絶縁被覆の周囲に沿って形成された前記被覆圧着部の外周の面及び前記第二連結部の表面の各々に分布して形成された突起部と、
前記電線における前記圧着端子の前記被覆圧着部が圧着された部分から前記芯線の先端までの保護領域、及び前記圧着端子における前記電線の前記保護領域の周囲に位置する部分を覆う防食剤と、を備えることを特徴とする端子付電線。
【請求項２】
前記突起部は、前記圧着端子における前記被覆圧着部の外周の面のうち、前記被覆圧着部から前記端子接続部へ向かう方向に対して上下左右の四方の面各々に分布して形成され、
さらに前記突起部は、前記圧着端子における前記第二連結部の表面のうち、前記四方の面のうちの特定の一の方向の面を除く三方の面にのみ分布して形成されている、請求項１に記載の端子付電線。
【請求項３】
前記突起部は、前記圧着端子における、前記芯線圧着部及び前記第一連結部の一方又は両方の表面にも分布して形成されている、請求項１に記載の端子付電線。
【請求項４】
前記突起部は、前記電線の長手方向に対して交差する方向に尾根の線を形成する格子状の突起部である、請求項１から請求項３のいずれかに記載の端子付電線。
【発明の詳細な説明】
【技術分野】
【０００１】
本発明は、電線と電線の端部に取り付けられた圧着端子とを含む端子付電線に関する。
【背景技術】
【０００２】
一般に、ワイヤハーネスにおける電線の端部には、金属製の圧着端子が取り付けられる。また、圧着端子としては、特許文献１に示されるように絶縁被覆を押さえる部分を有する圧着端子と、絶縁被覆を押さえる部分がない圧着端子とが存在する。
【０００３】
絶縁被覆を押さえる部分を有する圧着端子は、電線の端部における被覆に圧着される被覆圧着部と、電線の端部における被覆から伸び出た芯線に圧着される芯線圧着部と、相手側の端子と嵌り合うことによって相手側の端子に接続される端子接続部とを有している。そして、被覆圧着部及び芯線圧着部の各々の一部が折り曲げられて絶縁被覆に対してかしめられることにより、被覆圧着部が電線の絶縁被覆を把持し、芯線圧着部が電線の芯線を把持する。その結果、圧着端子は、電線の端部に固定される。
【０００４】
圧着端子において、被覆圧着部は、圧着端子を電線に強固に保持する役割を担い、芯線圧着部は、主として圧着端子と電線の芯線とを電気的に接続する役割を担う。なお、被覆圧着部、芯線圧着部及び端子接続部は、それぞれインシュレーションバレル、ワイヤバレル及びコンタクトと称される。
【０００５】
また、特許文献１に示されるように、圧着端子を備える端子付電線において、防食剤が、電線における絶縁被覆の端部及びそこから伸び出た芯線の部分を含む領域を覆うように塗布される場合がある。例えば、端子付電線において、電線の芯線がアルミニウム線である場合、圧着端子と接触するアルミニウム線は、異種金属接触腐食によって腐食しやすい。防食剤は、そのような異種金属接触腐食の防止に有効である。防食剤は、一般に、シリコン系、アクリル系、ウレタン系、ポリアミド系又はエポキシ系の樹脂である。
【先行技術文献】
【特許文献】
【０００６】
【特許文献１】特開２０１０−１０８７９８号公報
【発明の概要】
【発明が解決しようとする課題】
【０００７】
しかしながら、従来の端子付電線において、圧着端子及び電線に対する樹脂製の防食剤の密着性は十分に高いとはいえない。即ち、従来の端子付電線は、電線の端部に形成された防食剤に対して応力が加わった場合に、防食剤が電線及び圧着端子から剥がれやすいという問題点を有している。
【０００８】
本発明の目的は、端子付電線において、電線の端部に形成された防食剤が、防食剤に加わる応力に起因して電線及び圧着端子から剥がれることを防止することである。
【課題を解決するための手段】
【０００９】
本発明に係る端子付電線は、電線とその電線の端部に取り付けられた圧着端子とを備える。その圧着端子は、被覆圧着部と、芯線圧着部と、端子接続部と、第一連結部と、第二連結部とを有する。被覆圧着部は、電線の端部における絶縁被覆に圧着された部分である。芯線圧着部は、電線の端部における絶縁被覆から伸び出た芯線に圧着された部分である。端子接続部は、相手側の端子に接続される部分である。第一連結部は、被覆圧着部と芯線圧着部とを繋ぐ部分である。第二連結部は、芯線圧着部と端子接続部とを繋ぐ部分である。さらに、本発明に係る端子付電線は、圧着端子における、電線の絶縁被覆の周囲に沿って形成された被覆圧着部の外周の面及び第二連結部の表面の各々に分布して形成された突起部と、防食剤とを備える。防食剤は、電線における圧着端子の被覆圧着部が圧着された部分から芯線の先端までの保護領域、及び圧着端子における電線の保護領域の周囲に位置する部分を覆う。
【００１０】
また、本発明に係る端子付電線において、突起部が、圧着端子における被覆圧着部の外周の面のうち、被覆圧着部から端子接続部へ向かう方向に対して上下左右の四方の面各々に分布して形成されていることが考えられる。さらに、突起部が、圧着端子における第二連結部の表面のうち、前記四方の面のうちの特定の一の方向の面を除く三方の面にのみ分布して形成されていることが考えられる。
【００１１】
また、本発明に係る端子付電線において、突起部が、圧着端子における、芯線圧着部及び第一連結部の一方又は両方の表面にも分布して形成されていることが考えられる。
【００１２】
また、本発明に係る端子付電線において、突起部が、被覆圧着部から端子接続部へ向かう方向に対して交差する方向に尾根の線を形成する格子状の突起部であれば好適である。
【発明の効果】
【００１３】
本発明に係る端子付電線においては、突起部が、圧着端子における防食剤が形成される領域の両端付近の表面に分布して形成されている。圧着端子における防食剤が形成される領域の両端付近は、防食剤が応力によって特に剥がれやすい領域である。そのような領域に突起部が形成された圧着端子は、従来の圧着端子に比べ、防食剤との接触面積が大きく、防食剤との密着性が高い。さらに、突起部は、防食剤に応力が加わった場合に、防食剤に引っ掛かる。そのため、本発明に係る端子付電線は、電線の端部に形成された防食剤に応力が加わった場合に、防食剤が電線及び圧着端子から剥がれにくい特性を有する。
【００１４】
ところで、端子付電線の圧着端子は、被覆圧着部よりも先端側の部分の底面が、相手側の端子又はコネクタのハウジングなどに近接する状態で配置されることが多い。そのため、突起部が、被覆圧着部よりも先端側の部分の底面に形成されると、突起部が周辺の部材と干渉するという問題が生じる。
【００１５】
そこで、突起部は、圧着端子における第二連結部の表面のうち、四方の面のうちの特定の一の方向の面を除く三方の面にのみ分布して形成されていることが望ましい。ここで、特定の一の方向の面は、底面を意味する。一方、周辺の部材との干渉が生じにくい被覆圧着部の突起部は、上下左右の四方の面各々に分布して形成されることが望ましい。これにより、被覆圧着部において、防食剤が電線及び圧着端子からより剥がれにくくなる。
【００１６】
また、突起部が、圧着端子における、芯線圧着部及び第一連結部の一方又は両方の表面にも分布して形成されていれば、圧着端子と防食剤との間の密着性がより高まり、防食剤に対する突起部の引っ掛かり効果もより高まる。その結果、本発明に係る端子付電線において、防食剤は、電線及び圧着端子からより剥がれにくくなる。
【００１７】
また、芯線圧着部又は第一連結部の突起部も、第二連結部の突起部と同様に、四方の面のうちの特定の一の方向の面を除く三方の面にのみ分布して形成されていることが望ましい。
【００１８】
また、防食剤に加わる特に大きな応力は、電線が引っ張られた際に、電線から防食剤に対して加わる電線の長手方向への応力である。そこで、本発明に係る端子付電線において、突起部が、電線の長手方向に対して交差する方向に尾根の線を形成する格子状の突起部であることが考えられる。そのような突起部は、電線の長手方向への応力が加わった防食剤に対し、大きな抵抗力で引っ掛かる。その結果、防食剤は、圧着端子及び電線からより剥がれにくくなる。
【図面の簡単な説明】
【００１９】
【図１】本発明の第１実施形態に係る端子付電線１における主要部の一方の側面図である。
【図２】端子付電線１における主要部の他方の側面図である。
【図３】端子付電線１における主要部の平面図である。
【図４】端子付電線１における主要部の底面図である。
【図５】本発明の第２実施形態に係る端子付電線１Ａにおける主要部の一方の側面図である。
【図６】端子付電線１Ａにおける主要部の他方の側面図である。
【発明を実施するための形態】
【００２０】
以下、添付の図面を参照しながら、本発明の実施形態について説明する。以下の実施形態は、本発明を具体化した一例であり、本発明の技術的範囲を限定する事例ではない。
【００２１】
＜第１実施形態＞
まず、図１から図７を参照しつつ、本発明の第１実施形態に係る端子付電線１の構成について説明する。端子付電線１は、電線９と、その端部に取り付けられた圧着端子１０と、電線９の端部に形成された防食剤８とを備える。なお、図１及び図２における破線は、隠れ線である。
【００２２】
＜電線＞
図１から図３に示されるように、圧着端子１０が取り付けられる対象となる電線９は、長尺な導体である芯線と、その芯線の周囲を覆う絶縁体である絶縁被覆とを有する。圧着端子１０が取り付けられる電線９の端部は、予め一定の長さの分の芯線の周囲から絶縁被覆が剥がれた状態、即ち、一定の長さ分の芯線が絶縁被覆から伸び出た状態に加工されている。
【００２３】
以下、電線９の端部において、絶縁被覆の端から伸び出た芯線を裸芯線部９１と称する。また、電線９の絶縁被覆における端部の一定の範囲（数ミリメートルから十数ミリメートル程度の長さの範囲）の部分を被覆端部９２と称する。
【００２４】
端子付電線１において、電線９の芯線は、例えば、銅又はアルミニウムを主成分とする金属の線材である。
【００２５】
＜圧着端子＞
図１から図４に示されるように、圧着端子１０は、直線方向に沿って一列に並んで形成された、被覆圧着部２０、第一連結部３０、芯線圧着部４０、第二連結部５０及び端子接続部６０を有している。
【００２６】
以下、圧着端子１０における被覆圧着部２０から芯線圧着部４０及び端子接続部６０へ向かう直線方向を延伸方向と称する。延伸方向は、圧着端子１０が取り付けられる電線９の長手方向でもある。各図に示される座標軸のＸ軸方向が延伸方向である。
【００２７】
圧着端子１０は、銅もしくは黄銅などの銅合金の部材、又はそれらの部材に錫（Ｓｎ）メッキもしくは錫に銀（Ａｇ）、銅（Ｃｕ）、ビスマス（Ｂｉ）などが添加された錫合金のメッキが施された導体の部材である。
【００２８】
＜圧着端子：被覆圧着部＞
被覆圧着部２０は、曲がって形成された板状の部分であり、電線９に圧着される前の状態において、電線９の被覆端部９２が挿入される溝を形成している。即ち、被覆圧着部２０は、被覆圧着部２０が形成する溝の内側に挿入された被覆端部９２の周囲に沿って曲げられることにより、被覆端部９２に対して圧着される。
【００２９】
被覆圧着部２０は、第一底板部２１と、２つの起立部２２，２３とを有する。第一底板部２１は、圧着端子１０が取り付けられる対象の電線９における被覆端部９２を一の方向から支える部分である。また、２つの起立部２２，２３は、第一底板部２１から被覆端部９２の両側へ起立して形成された部分である。以下、一方の起立部２２を第一右起立部２２、他方の起立部２３を第一左起立部２３と称する。
【００３０】
第一右起立部２２における先端側の一部の範囲を占める部分は、第一底板部２１に対向する向きへ折り曲げられて被覆端部９２にかしめられたかしめ部２２１である。同様に、第一左起立部２３における先端側の一部の範囲を占める部分も、第一底板部２１に対向する向きへ折り曲げられたかしめ部２３１である。以下、第一右起立部２２におけるかしめ部２２１を第一右かしめ部２２１、第一左起立部２３におけるかしめ部２３１を第一左かしめ部２３１と称する。
【００３１】
但し、図１から図３に示されるように、第一左かしめ部２３１は、第一右かしめ部２２１の外側に重ねられてかしめられる。即ち、圧着端子１０の被覆圧着部２０は、いわゆるオーバーラップタイプの圧着部である。
【００３２】
以下、２つの起立部２２，２３各々におけるかしめ部２２１，２３１以外の部分のことを側壁部２２０，２３０と称する。第一右起立部２２における側壁部２２０は、第一底板部２１及び第一右かしめ部２２１に連なり、それらを繋ぐ部分である。第一左起立部２３における側壁部２３０は、第一底板部２１及び第一左かしめ部２３１に連なり、それらを繋ぐ部分である。以下、第一右起立部２２における側壁部２２０を第一右側壁部２２０、第一左起立部２３における側壁部２３０を第一左側壁部２３０と称する。
【００３３】
被覆端部９２に圧着された被覆圧着部２０は、被覆端部９２の周囲に沿う形状に形成されている。その状態において、第一右側壁部２２０と第一左側壁部２３０とは、被覆端部９２を挟んで対向して形成されている。同様に、第一底板部２１と第一右かしめ部２２１及び第一左かしめ部２３１とは、被覆端部９２を挟んで対向して形成されている。そして、第一底板部２１の内側面と、第一右側壁部２２０及び第一右かしめ部２２１の内側面と、第一左側壁部２３０の内側面とが、被覆端部９２に接触する。
【００３４】
第一底板部２１、第一右側壁部２２０及び第一左側壁部２３０は、いずれも概ね平板状である場合の他、湾曲した周面を形成する被覆端部９２の外形に沿うように、湾曲した板状である場合もある。以下、延伸方向（Ｘ軸方向）に直交し、２つの側壁部部２２０，２３０が対向する方向を幅方向と称する。さらに、延伸方向及び幅方向に直交する方向を高さ方向と称する。２つの側壁部２２０，２３０は、第一底板部２１から高さ方向へ起立して形成されている。各図に示される座標軸のＹ軸方向及びＺ軸方向が、それぞれ幅方向及び高さ方向である。従って、第一底板部２１は、電線９における被覆端部９２を高さ方向における一方の側から、即ち、Ｚ軸の負方向から支える。
【００３５】
また、図１から図４に示されるように、被覆端部９２の周囲に沿って形成された被覆圧着部２０の外周の面には、突起部７が分布して形成されている。より具体的には、被覆圧着部２０の突起部７は、第一左かしめ部２３１の外側面に分布して形成された突起部７Ａと、第一底板部２１の外側面に分布して形成された突起部７Ｂと、第一右側壁部２２０の外側面に分布して形成された突起部７Ｃと、第一左側壁部２３０の外側面に分布して形成された突起部７Ｄとを含む。即ち、被覆圧着部２０の突起部７は、被覆圧着部２０の外周の面のうち、延伸方向に対して上下左右の四方の面各々に分布して形成されている。
【００３６】
また、図１から図４に示される例では、被覆圧着部２０の突起部７は、延伸方向（Ｘ軸方向）に対して交差する方向に尾根の線を形成する格子状の突起部である。図１から図３に示される例では、格子状の突起部７が形成する尾根の線は、延伸方向に対して±４５°の角度をなしている。なお、格子状の突起部７が形成する尾根の線が延伸方向に対してなす角度は、±４５°とは限らない。
【００３７】
＜圧着端子：芯線圧着部＞
芯線圧着部４０は、曲がって形成された板状の部分であり、電線９に圧着される前の状態において、電線９の裸芯線９１が挿入される溝を形成している。即ち、芯線圧着部４０は、芯線圧着部４０が形成する溝の内側に挿入された裸芯線９１に対して圧着される。
【００３８】
芯線圧着部４０は、第二底板部４１と、２つの起立部４２，４３とを有する。第二底板部４１は、圧着端子１０が取り付けられる対象の電線９における裸芯線９１を高さ方向の一方の側から、即ち、Ｚ軸の負方向から支える部分である。また、２つの起立部４２，４３は、第二底板部４１から裸芯線９１の両側へ起立して形成された部分である。以下、一方の起立部４２を第二右起立部４２、他方の起立部４３を第二左起立部４３と称する。
【００３９】
第二右起立部４２における先端側の一部の範囲を占める部分は、第二底板部４１に対向する向きへ折り曲げられて裸芯線９１にかしめられるかしめ部４２１である。同様に、第二左起立部４３における先端側の一部の範囲を占める部分も、第二底板部４１に対向する向きへ折り曲げられて裸芯線９１にかしめられるかしめ部４３０である。以下、第二右起立部４２におけるかしめ部４２１を第二右かしめ部４２１、第二左起立部４３におけるかしめ部４３１を第二左かしめ部４３１と称する。
【００４０】
また、第二右起立部４２における第二右かしめ部４２１以外の部分のことを第二右側壁部４２０と称する。同様に、第二左起立部４３における第二左かしめ部４３１以外の部分のことを第二左側壁部４３０と称する。第二右側壁部４２０は、第二底板部４１及び第二右かしめ部４２１に連なり、それらを繋ぐ部分である。第二左側壁部４３０は、第二底板部４１及び第二左かしめ部４３１に連なり、それらを繋ぐ部分である。
【００４１】
裸芯線９１に圧着された芯線圧着部４０は、裸芯線９１の周囲に沿う形状に形成されている。その状態において、第二右側壁部４２０と第二左側壁部４３０とは、裸芯線９３を挟んで対向して形成されている。同様に、第二底板部４１と第二右かしめ部４２１及び第二左かしめ部４３１とは、裸芯線９１を挟んで対向して形成されている。そして、第二底板部４１の内側面と、第二右側壁部４２０及び第二右かしめ部４２１の内側面と、第二左側壁部４３０及び第二左かしめ部４３１の内側面とが、裸芯線９１に接触する。
【００４２】
第二底板部４１、第二右側壁部４２０及び第二左側壁部４３０は、いずれも概ね平板状である場合の他、裸芯線９１の外形に沿うように湾曲した板状である場合もある。
【００４３】
圧着端子１０は、不図示の端子圧着装置により電線９の端部に圧着される。端子圧着装置は、電線９及び圧着端子１０を支持するアンビルと、圧着端子１０における被覆圧着部２０及び芯線圧着部４０各々のかしめ部２２１，２３１，４２１，４３１を内側へ折り曲げてかしめるクリンパとを備える。アンビル及びクリンパは、支持機構により、相互に対向する状態で接近すること及び離隔することが可能に支持されている。
【００４４】
アンビル及びクリンパの一方又は両方が、それらが接近する方向へ移動することにより、圧着端子１０は、アンビルとクリンパとの間で押しつぶされつつ被覆端部９２及び裸芯線９１に圧着される。その際、被覆圧着部２０の第一右かしめ部２２１は、クリンパにおける湾曲した成形面に沿って第一底板部２１に対向する向きへ曲がり、被覆端部９２へかしめられる。また、被覆圧着部２０の第一左側かしめ部２３１は、クリンパにおける湾曲した成形面に沿って第一底板部２１に対向する向きへ曲がり、第一右側かしめ部２２１の外側へかしめられる。また、芯線圧着部４０のかしめ部４２１，４３１は、クリンパの成形面に沿って第二底板部４１に対向する向きへ曲がり、裸芯線９１にかしめられる。
【００４５】
＜圧着端子：第一連結部＞
第一連結部３０は、被覆圧着部２０と芯線圧着部４０とを繋ぐ部分である。第一連結部３０は、曲がって形成された板状の部分であり、被覆端部９２及び裸芯線９１の境界部分が挿入される溝を形成している。そして、第一連結部３０は、第一底板部２１と第二底板部４１とを繋ぐ第三底板部３１と、第三底板部３２から電線９の両側へ伸びて起立した２つの側壁部３２，３３とを有する。
【００４６】
以下、第一連結部３０における２つの側壁部３２，３３のうちの一方を第三右側壁部３２、他方を第三左側壁部３３と称する。第三右側壁部３２は、第一右側壁部２２及び第二右側壁部４２と繋がり、第三左側壁部３３は、第一左側壁部２３及び第二左側壁部４３と繋がっている。
【００４７】
＜圧着端子：第二連結部＞
第二連結部５０は、芯線圧着部４０と端子接続部６０を繋ぐ部分である。第二連結部５０は、曲がって形成された板状の部分であり、溝を形成している。裸芯線９１の先端部分が、芯線圧着部４０から第二連結部５０が形成する溝へはみ出す場合もあるが、そうでない場合もある。第二連結部５０は、第二底板部４１に繋がる第四底板部５１と、第四底板部５２から伸びて起立した２つの側壁部５２，５３とを有する。
【００４８】
以下、第二連結部５０における２つの側壁部５２，５３のうちの一方を第四右側壁部５２、他方を第四左側壁部５３と称する。第四右側壁部５２は、第二右側壁部４２と繋がり、第四左側壁部５３は、第二左側壁部４３と繋がっている。
【００４９】
また、溝を形成する第二連結部５０の表面には、被覆圧着部２０と同様に突起部７が分布して形成されている。より具体的には、第二連結部５０の突起部７は、第四底板部５１の内側面に分布して形成された突起部７Eと、第四右側壁部５２０の外側面に分布して形成された突起部７Fと、第一左側壁部２３０の外側面に分布して形成された突起部７Gとを含む。
【００５０】
即ち、図１から図４に示されるように、第二連結部５０の突起部７は、第二連結部５０における延伸方向に対して上下左右の四方の表面のうち、下方の面（第四底板部５１の外側面）を除く三方の面にのみ分布して形成されている。
【００５１】
また、図１から図３に示される例では、第二連結部５０の突起部７も、被覆圧着部２０の突起部７と同様に、延伸方向（Ｘ軸方向）に対して交差する方向の尾根の線を形成する格子状の突起部である。
【００５２】
＜圧着端子：コンタクト部＞
端子接続部６０は、圧着端子１０の接続相手となる不図示の相手側端子と嵌り合うことによって相手側端子と直接接触し、相手側端子に接続される部分（端子接続部）である。図１及び図６に示される端子接続部６０は、相手側端子が嵌め入れられる孔である端子挿入孔６１が形成された筒状の部分である。なお、端子接続部６０が、相手側端子の端子挿入孔に嵌め入れられる棒状の導体である場合もある。
【００５３】
＜防食剤＞
端子付電線１において、電線９の芯線（裸芯線９１）と、圧着端子１０とは、それぞれ異種の金属で構成されている。具体的には、芯線は、アルミニウム線、即ち、アルミニウムを主成分とする金属（アルミニウムまたはアルミニウム合金）の線材である。一方、圧着端子１０は、銅もしくは黄銅などの銅合金の部材、又はそれらの部材に錫（Ｓｎ）メッキもしくは錫に銀（Ａｇ）、銅（Ｃｕ）、ビスマス（Ｂｉ）などが添加された錫合金のメッキが施された部材である。そのため、圧着端子１０と接触する裸芯線９１は、異種金属接触腐食によって腐食しやすい。
【００５４】
そこで、端子付電線１における電線９の端部には、裸芯線９１の腐食を防ぐための防食剤８が塗布されている。芯線９１の腐食防止のために防食剤８の塗布が必須の領域は、電線９における圧着端子１０の被覆圧着部２０が圧着された被覆端部９２の部分から裸芯線９１の先端までの領域である。以下、この領域のことを保護領域と称する。
【００５５】
端子付電線１において、防食剤８は、電線９の保護領域及び圧着端子１０における電線９の保護領域の周囲に位置する部分を覆うように形成されている。図１から図４に示される例では、防食剤８は、電線９における被覆圧着部２０が圧着された部分より３ｍｍ程度根元側の位置から、第二連結部５０の延伸方向における中間位置までの範囲において、その範囲に存在する電線９の一部及び圧着端子１０の一部を覆うように形成されている。
【００５６】
防食剤８は、例えば、シリコン系、アクリル系、ウレタン系、ポリアミド系又はエポキシ系の樹脂である。また、図１から図４に示される例では、防食剤８は、透明又は半透明であるが、防食剤８は、透明ではない樹脂であることも考えられる。
【００５７】
ところで、端子付電線１の圧着端子１０は、被覆圧着部２０よりも先端側の部分、特に、芯線圧着部４０及び第二連結部５０の底面が、相手側の端子又はコネクタのハウジングなどに近接する状態で配置されることが多い。そのため、防食剤８が、芯線圧着部４０から先端側の部分における底面において厚く形成されると、防食剤８が、周辺の部材と干渉するという問題が生じる。
【００５８】
そこで、防食剤８は、圧着端子１０における、芯線圧着部４０から先端側の領域の底面においては、被覆圧着部２０の底面よりも薄く形成されている。例えば、防食剤８は、被覆圧着部２０の底面、即ち、第一底板部２１の外側面において、約０．２ｍｍから約０．３ｍｍまでの範囲の厚みで形成されている。一方、圧着端子１０における芯線圧着部４０から先端側の部分の底面、即ち、第二底板部４１の外側面における第一連結部３１側の端から第四底板部５１の外側面の中間位置までの領域においては、防食剤８の厚みはほぼ０ｍｍである。
【００５９】
＜効果＞
端子付電線１においては、突起部７が、圧着端子１０における防食剤８が形成される領域の両端付近の表面に分布して形成されている。圧着端子１０における防食剤８が形成される領域の両端付近は、防食剤８が応力によって特に剥がれやすい領域である。そのような領域に突起部７が形成された圧着端子１０は、従来の圧着端子に比べ、防食剤８との接触面積が大きく、防食剤８との密着性が高い。
【００６０】
さらに、突起部７は、防食剤８に応力が加わった場合に、防食剤８に引っ掛かる。そのため、端子付電線１は、電線９の端部に形成された防食剤８に応力が加わった場合に、防食剤８が電線９及び圧着端子１０から剥がれにくい特性を有する。
【００６１】
また、突起部７は、圧着端子１０における第二連結部５０の表面のうち、四方の面のうちの第四底板部５１の外側面を除く三方の面にのみ分布して形成されている。即ち、突起部７は、周辺の部材との干渉が生じやすい第四底板部５１の外側面には形成されていない。一方、周辺の部材との干渉が生じにくい被覆圧着部２０の突起部７は、上下左右の四方の面各々に分布して形成されている。これにより、被覆圧着部２０において、防食剤８が電線９及び圧着端子１０からより剥がれにくくなる。
【００６２】
また、端子付電線１において、突起部７は、延伸方向（Ｘ軸方向）に交差する方向の尾根の線を形成する格子状の突起部である。そのような突起部７は、延伸方向への応力が加わった防食剤８に対し、大きな抵抗力で引っ掛かる。その結果、防食剤８は、圧着端子１０及び電線９からより剥がれにくくなる。なお、電線９に対する応力は、電線９を引っ張る方向へ加わることが多く、従って、防食剤８に対する応力は、延伸方向へ加わることが多い。
【００６３】
＜第２実施形態＞
次に、図５及び図６を参照しつつ、本発明の第２実施形態に係る端子付電線１Ａについて説明する。端子付電線１Ａは、電線９とその端部に取り付けられた圧着端子１０Ａとを備える。なお、図５及び図６は、それぞれ端子付電線１Ａにおける主要部の一方の側面図及び他方の側面図である。
【００６４】
端子付電線１Ａは、端子付電線１と比較して、圧着端子１０Ａにおける突起部７が形成された範囲のみが異なる。圧着端子１０Ａの突起部７は、圧着端子１０と同様に、被覆圧着部２０における四方の面と、第二連結部５０における底面を除く三方の面とに形成されている。さらに、圧着端子１０Ａの突起部７は、芯線圧着部４０及び第一連結部３０各々の表面にも形成されている。
【００６５】
より具体的には、圧着端子１０Ａにおいて、芯線圧着部４０の突起部７は、裸芯線９２の周囲に沿って形成された芯線圧着部４０における上下左右の四方の面のうち、底面を除く三方の面に形成されている。即ち、芯線圧着部４０の突起部７は、第二右かしめ部４２１及び第二左かしめ部４３１各々の外側面に分布して形成された突起部７Ｈと、第二右側壁部４２０の外側面に分布して形成された突起部７Ｉと、第二左側壁部４３０の外側面に分布して形成された突起部７Ｊとを含む。
【００６６】
また、圧着端子１０Ａにおいて、第一連結部３０の突起部７は、第一連結部３０における左右の側面に形成されている。即ち、第一連結部の突起部７は、第三右側壁部３２の外側面に分布して形成された突起部７Ｋと、第三左側壁部３３の外側面に分布して形成された突起部７Ｌとを含む。
【００６７】
また、図５及び図６に示される例では、圧着端子１０Ａの突起部７も、圧着端子１０の突起部７と同様に、延伸方向（Ｘ軸方向）に対して交差する方向の尾根の線を形成する格子状の突起部である。
【００６８】
以上に示したように、端子付電線１Ａにおいて、圧着端子１０Ａの突起部７は、防食剤８が形成される領域の両端付近に位置する被覆圧着部２０及び第二連結部５０と、それらの間に位置する芯線圧着部４０及び第一連結部の３０にも分布して形成されている。そのため、端子付電線１Ａにおいて、圧着端子１０Ａと防食剤８との間の密着性がより高まり、防食剤８に対する突起部７の引っ掛かり効果もより高まる。その結果、端子付電線１Ａにおいて、防食剤８は、電線９及び圧着端子１０Ａからより剥がれにくくなる。
【００６９】
＜その他＞
以上に示された各実施形態の圧着端子１０，１０Ａにおいて、突起部７は、延伸方向（Ｘ軸方向）に交差する方向の尾根の線を形成する格子状の突起部である。しかしながら、突起部７は、少なくとも被覆圧着部２０及び第二連結部５０各々の表面において分布する突起部であれば、他の形状の突起部であってもかまわない。
【００７０】
例えば、突起部７が、それぞれ複数の独立した小突起部から構成されることが考えられる。突起部７を構成する個々の小突起部は、円錐状、円柱状及び角柱状などの形状を有することが考えられる。また、突起部７を構成する複数の小突起部は、圧着端子１０，１０Ａの各面において、千鳥配列又はそれ以外の配列パターンで配置されることが考えられる。また、突起部７は、延伸方向に沿う方向に伸びて形成された縦縞状突起部、又は延伸方向に交差する方向に伸びて形成された横縞状の突起部であることも考えられる。なお、千鳥配列は、奇数列における各小突起部と偶数列における各小突起部とが同じピッチで配列され、奇数列の各小突起部と偶数列の各小突起部とが半ピッチ分だけずれて配列された配置である。
【００７１】
また、各実施形態の圧着端子１０，１０Ａにおいて、被覆圧着部２０は、対向する２つの起立部２２，２３のかしめ部２２１，２３１が重なる状態でかしめられるオーバーラップタイプである。しかしながら、被覆圧着部２０は、図３に示される芯線圧着部４０と同様に、２つの起立部２２，２３のかしめ部２２１，２３１が重ならない状態で被覆端部９２に対してかしめられるタイプであってもよい。
【００７２】
また、各実施形態の圧着端子１０，１０Ａにおいて、かしめ部２２１，２３１は、被覆端部９２の両側から折り曲げられてかしめられる部分である。しかしながら、圧着端子１０，１０Ａの延伸方向における各位置ごとに、かしめ部が、被覆端部９２の片側にのみ形成された構成も考えられる。
【００７３】
また、各実施形態の圧着端子１０，１０Ａの被覆圧着部２０において、被覆端部９２に直接かしめられるかしめ部２２１は１つである。しかしながら、被覆圧着部２０が、被覆端部９２にかしめられる部分として、延伸方向において並ぶ２つ以上のかしめ部を有することも考えられる。
【符号の説明】
【００７４】
１，１Ａ  端子付電線
７，７Ａ〜７Ｌ  突起部
８  防食剤
９  電線
１０，１０Ａ  圧着端子
２０  被覆圧着部
２１  被覆圧着部の底板部（第一底板部）
２２，２３  被覆圧着部の起立部
３０  第一連結部
３１  第一連結部の底板部（第三底板部）
３２  第一連結部の側壁部（第三右側壁部）
３３  第一連結部の側壁部（第三左側壁部）
４０  芯線圧着部
４１  芯線圧着部の底板部（第二底板部）
４２，４３  芯線圧着部の起立部
５０  第二連結部
５１  第二連結部の底板部（第四底板部）
５２  第二連結部の側壁部（第四右側壁部）
５３  第二連結部の側壁部（第四左側壁部）
６０  コンタクト部
６１  端子挿入孔
９１  裸芯線（芯線）
９２  被覆端部（絶縁被覆）
２２０，２３０  被覆圧着部の側壁部
２２１，２３１  被覆圧着部のかしめ部
４２０，４３０  芯線圧着部の側壁部
４２１，４３１  芯線圧着部のかしめ部
【図１】
2012124100.tif 000003
【図２】
2012124100.tif 000004
【図３】
2012124100.tif 000005
【図４】
2012124100.tif 000006
【図５】
2012124100.tif 000007
【図６】
2012124100.tif 000008